(57)【要約】    【課題】サージ電圧が与えられた場合でも、筐体の内部及びコイル接続端子が破損するおそれがないインピーダンスボンドを提供する。    【解決手段】筐体４は、接地電位ＧＮＤとなる金属部分を含んでいる。コイル接続端子６１〜６３は、筐体４の外面に、金属部分から絶縁して取り付けられている。コイル３１〜３３は、筐体４内に収納され、そのコイル端末がコイル接続端子６１〜６３に接続されている。分枝導体７０は、一端７１がコイル接続端子６１〜６３に接続され、他端７２が金属部分と間隔を隔てて対向している。【選択図】      図１
2005206022.tif 000002
【特許請求の範囲】
【請求項１】
筐体と、コイル接続端子と、コイルと、分枝導体とを含むインピーダンスボンドであって、
前記筐体は、接地電位となる金属部分を含んでおり、
前記コイル接続端子は、前記筐体の外面に、前記金属部分から絶縁して取り付けられており、
前記コイルは、前記筐体内に収納され、そのコイル端末が前記コイル接続端子に接続されており、
前記分枝導体は、一端が前記コイル接続端子に接続され、他端が前記金属部分と間隔を隔てて対向している
インピーダンスボンド。
【請求項２】
請求項１に記載されたインピーダンスボンドであって、更に、絶縁部材を含み、
前記絶縁部材は、前記分枝導体の他端と前記金属部分との間に備えられ、前記分枝導体の前記他端を支持する
インピーダンスボンド。
【請求項３】
請求項１又は２に記載されたインピーダンスボンドであって、更に、外部配線接続端子を含み、
前記外部配線接続端子は、前記コイル接続端子に形成されている
インピーダンスボンド。
【請求項４】
筐体と、コイル接続端子と、コイルと、分枝導体と、外部配線接続端子とを含むインピーダンスボンドであって、
前記コイル接続端子は、一端が前記筐体の外部に導出され、前記筐体の外面に取り付けられ、他端が前記筐体の内部に導入されており、
前記コイルは、前記筐体内に収納され、そのコイル端末が前記コイル接続端子の前記他端に接続されており、
前記分枝導体は、一端が前記コイル接続端子の前記一端に接続され、他端が前記筐体の外面に固定されており、
前記外部配線接続端子は、前記分枝導体の前記他端に形成されている
インピーダンスボンド。
【請求項５】
請求項４に記載されたインピーダンスボンドであって、更に、絶縁部材を含み、
前記筐体は、接地電位となる金属部分を含んでおり、
前記コイル接続端子は、前記金属部分から絶縁されており、
前記分枝導体は、前記他端が前記金属部分と間隔を隔てて対向しており、
前記絶縁部材は、前記分枝導体の前記他端と前記金属部分との間に備えられ、前記分枝導体の前記他端を支持する
インピーダンスボンド。
【請求項６】
請求項１乃至５の何れかに記載されたインピーダンスボンドであって、更に、内装部材と、充填材とを含み、
前記内装部材は、前記コイルを含み、前記筐体の内部に備えられ、
前記充填材は、前記筐体と前記内装部材との隙間に充填されている
インピーダンスボンド。
【発明の詳細な説明】
【技術分野】
【０００１】
本発明は、インピーダンスボンドに関する。
【背景技術】
【０００２】
インピーダンスボンドは、鉄道の分野において、例えば、軌道回路間を接続するために用いられる。一般的なインピーダンスボンドは、筐体と、内装部材と、変圧器油とを含む。
【０００３】
内装部材は、略Ｅ字状の２つの磁性体ブロックからなる中空鉄心と、これに巻かれた一次コイル及び二次コイルとを有する。一次コイルはレール間の帰線電流が流れるコイルである。一次コイルは、３つの端末を有し、巻線に流れる帰線電流によって生じる磁束が反対方向となり、その効果が打ち消しあうように構成されている。二次コイルには、信号電流が流される。内装部材は、筐体の内部に満たされた変圧器油の中に漬けられているから、コイルが筐体から絶縁されるとともに、コイルで発生した熱が変圧器油を介して冷却される。
【０００４】
ところが、この種のインピーダンスボンドは、筐体の内部に変圧器油が満たされているので、重量が極めて重く（例えば４００Ｋｇ）なり、運搬、設置等の作業が困難になるという問題や、変圧器油を定期的に補充する等の保守が必要となるという問題や、変圧器油の発火を防ぐための構成を備えることによりコスト高になる等の問題が生じていた。
【０００５】
上述した問題を解決するため、特許文献１は、変圧器油の代わりに、樹脂からなる充填材を用いたインピーダンスボンドを開示している。特許文献１に開示されたインピーダンスボンドは、筐体と内装部材との間に樹脂を充填することにより、変圧器油を必要としない構成であるから、上述した問題を回避することができる。
【０００６】
しかしながら、上述した何れのインピーダンスボンドも、サージ電圧対策が施されていなかったので、サージ電圧、例えば、誘導雷サージ電圧により、インピーダンスボンドの導体−アース間、即ち、コイル−筐体間に絶縁破壊を生じ、コイルを破損してしまう等のおそれがあった。
【０００７】
絶縁破壊によりコイルが破損した場合、コイルを含む内装部材を修理する必要が生じるが、この際、中空鉄心とコイルとの調整には非常に時間がかかる。このため、インピーダンスボンドの修理に多大な時間がかかり、列車運行の再開に非常に時間がかかってしまうという問題があった。また、絶縁破壊したコイルを交換する必要が生じるため、コスト高を招くという問題もあった。
【０００８】
また、上述した特許文献１においては、筐体内部に樹脂が充填されているので、分解修理ができない。このため、サージ電圧で筐体内部の部品の一部が破損した場合、破損した部分だけでなく、インピーダンスボンド全体を廃棄して、新しいインピーダンスボンドに交換しなければならず、多大なコスト高を招くという問題があった。
【０００９】
更に、インピーダンスボンドは、その設置、保守点検の際に、配線着脱作業が行われる。配線着脱作業では、筐体内のコイル端末に接続されたコイル接続端子と、外部機器に接続された配線とが、ねじ等で取付けられ、又は、取外される。このとき、作業者の僅かな力加減のミスにより、コイル接続端子のねじの締付け過ぎや、かじりなどが生じ、コイル接続端子が折損又は破損する場合があった。
【００１０】
ところが、従来のインピーダンスボンドは、コイル接続端子が、インピーダンスボンドの筐体に固着された構造を有していたので、コイル接続端子が破損した場合でも、インピーダンスボンド全体を廃棄して、新しいインピーダンスボンドに交換しなければならず、多大なコスト高を招くという問題があった。
【特許文献１】特公平８−２４０８８号公報
【発明の開示】
【発明が解決しようとする課題】
【００１１】
本発明の課題は、サージ電圧が与えられた場合でも、筐体の内部及びコイル接続端子が破損するおそれがないインピーダンスボンドを提供することである。
【００１２】
本発明のもう１つの課題は、配線着脱作業において、コイル端末に接続されたコイル接続端子を破損させるおそれがないインピーダンスボンドを提供することである。
【００１３】
本発明の更にもう１つの課題は、コスト高を回避し得るインピーダンスボンドを提供することである。
【００１４】
本発明の更にもう１つの課題は、短時間の修理が可能で、列車運行の再開を早期に実現し得るインピーダンスボンドを提供することである。
【課題を解決するための手段】
【００１５】
上述した課題を解決するため、本発明は、２つの態様に係るインピーダンスボンドを開示する。
【００１６】
１．第１の態様に係るインピーダンスボンド
本発明の第１の態様に係るインピーダンスボンドは、筐体と、コイル接続端子と、コイルと、分枝導体とを含む。筐体は、接地電位となる金属部分を含んでいる。コイル接続端子は、筐体の外面に、金属部分から絶縁して取り付けられている。コイルは、筐体内に収納され、そのコイル端末がコイル接続端子に接続されている。分枝導体は、一端がコイル接続端子に接続され、他端が金属部分と間隔を隔てて対向している。
【００１７】
上述したように、本発明の第１の態様に係るインピーダンスボンドは、コイルを含む。このため、コイルを用いて、例えば、レールに流れる電気車電流と信号電流を振り分ける機能を実現することができる。
【００１８】
本発明に係るインピーダンスボンドは、筐体を含む。筐体は、接地電位となる金属部分を含んでいる。コイルは、筐体内に収納されている。このため、コイルで発生した熱は、筐体の金属部分から効率よく放出される。また、コイルが筐体内に収納されているから、コイルの防水性を確保することができる。
【００１９】
本発明に係るインピーダンスボンドは、コイル接続端子を含む。コイル接続端子は、筐体の外面に、金属部分から絶縁して取り付けられている。コイルのコイル端末は、コイル接続端子に接続されているから、レールや制御機器等がコイル接続端子を介して、コイルに接続されることとなる。
【００２０】
また、本発明に係るインピーダンスボンドは、分枝導体を含む。分枝導体は、一端がコイル接続端子に接続され、他端が金属部分と間隔を隔てて対向している。このため、インピーダンスボンドに与えられたサージ電圧、例えば、誘導雷サージ電圧を確実に放電することができる。
【００２１】
したがって、本発明に係るインピーダンスボンドは、サージ電圧が与えられた場合でも、筐体の内部及びコイル接続端子が破損するおそれがない。例えば、分枝導体と筐体の金属部分との間のサージ耐量は、分枝導体と金属部分との距離や、分枝導体の形状、面積等を適宜設定することにより、コイル接続端子と筐体の金属部分との間のサージ耐量よりも低い値に設定することができる。
【００２２】
また、分枝導体は、コイル接続端子から独立して備えられているので、サージ電圧で分枝導体が破損した場合には、分枝導体のみを交換すれば済む。このため、保守管理に要するコストを低く抑えることが可能となる。
【００２３】
また、分枝導体と筐体の外面との間を空間にした場合には、自己放電（空間放電）を実現することができ、分枝導体と筐体の外面との間に絶縁部材を設けた場合には、沿面放電等を実現することができる。
【００２４】
２．第２の態様に係るインピーダンスボンド
本発明の第２の態様に係るインピーダンスボンドは、筐体と、コイル接続端子と、コイルと、分枝導体と、外部配線接続端子とを含む。
【００２５】
コイル接続端子は、一端が筐体の外部に導出され、筐体の外面に取り付けられ、他端が筐体の内部に導入されている。コイルは、筐体内に収納され、そのコイル端末がコイル接続端子の他端に接続されている。分枝導体は、一端がコイル接続端子の一端に接続され、他端が筐体の外面に固定されている。外部配線接続端子は、分枝導体の他端に形成されている。
【００２６】
上述したように、本発明の第２の態様に係るインピーダンスボンドは、第１の態様に係るインピーダンスボンドと同様に、筐体と、コイルとを有するので、同様の作用効果を奏することができる。
【００２７】
また、本発明の第２の態様に係るインピーダンスボンドは、コイル接続端子を有する。コイル接続端子は、一端が筐体の外部に導出され、筐体の外面に取り付けられ、他端が筐体の内部に導入されている。コイル接続端子の他端には、コイル端末が接続されている。分枝導体は、一端がコイル接続端子の一端に接続され、他端が筐体の外面に固定されている。
【００２８】
このため、分枝導体は、コイル接続端子と導通し、かつ、他端が筐体に機械的に固定された構成となるから、分枝導体の他端に、レールや制御機器等とコイル接続端子とを接続するための外部配線接続端子を形成することができる。
【００２９】
これにより、コイル接続端子に、直接、外部配線接続端子を形成する必要がなくなる。このため、例えば、インピーダンスボンドの設置時や、点検時において、外部配線接続端子に配線を取付け／取外す際に、コイル接続端子を破損させるおそれが生じない。
【００３０】
したがって、本発明に係るインピーダンスボンドは、コイルの端末に接続されたコイル接続端子が破損し、インピーダンスボンドを廃棄しなければならない事態を回避することができる。
【００３１】
また、分枝導体は、筐体及びコイル接続端子から独立して備えられているので、分枝導体の他端が破損した場合には、分枝導体のみを交換すれば済む。このため、保守管理に要するコストを低く抑えることが可能となる。
【００３２】
本発明の他の特徴及びそれによる作用効果は、添付図面を参照し、実施例によって更に詳しく説明する。
【発明を実施するための最良の形態】
【００３３】
１．第１の態様に係るインピーダンスボンド
図１は本発明の第１の態様に係るインピーダンスボンドの一実施例を示す正面分解図、図２は図１に示したインピーダンスボンドの平面分解図、図３は図１に示したインピーダンスボンドの右側面分解図、図４は図１の部分拡大図、図５は図３の部分拡大図、図６は、図１〜図５に示したインピーダンスボンドの結線を説明する概略図である。
【００３４】
図１〜３において、図示のインピーダンスボンドは、筐体４と、内装部材３と、コイル接続端子６１〜６３、６６〜６９と、分枝導体７０とを含む。図示の実施例において、筐体４は、金属でなり、全体が接地電位ＧＮＤとなる金属部分４である。筐体４は、その一部のみが金属部分であってもよい。筐体４は、下部筐体４１と、上部筐体４２とを有する。下部筐体４１及び上部筐体４２の内表面は、内装部材３の外表面とほぼ等しい形状を有している。
【００３５】
筐体４は、内装部材３で発生した熱を効率的に放出できるように、熱伝導の良好な金属で構成することが好ましい。また、野外に設置されるインピーダンスボンドの性質上、筐体４は、防水性及び耐腐食性を有する金属で構成することが好ましい。好ましい金属としては、例えば、ステンレス、アルミ、アルミ合金等を挙げることができる。実施例において、下部筐体４１及び上部筐体４２はアルミ合金を用いて形成されている。
【００３６】
筐体４は、その一部に貫通孔が設けられており、貫通孔には、端末引出し部５１、５２が形成されている。端末引出し部５１、５２は、絶縁性を有する。端末引出し部５１、５２の材料としては、例えば、熱硬化性樹脂を用いることができる。内装部材３は、筐体４及び端末引出し部５１、５２により、防水構造が実現されている。
【００３７】
図１において、内装部材３は、中空鉄心と、１次コイル３１と、２次コイル３２と、３次コイル３３と、留め具３７と、留めネジ３８とを含む。１次コイル３１は、上コイル３１１と下コイル３１２とを含む。中空鉄心は、磁性体ブロック３０１、３０２からなる。磁性体ブロック３０１、３０２は、略Ｅ字状のブロック形状を有し、互いに対向して備えられている。
【００３８】
磁性体ブロック３０１、３０２の空間部分には、下コイル３１２、２次、３次コイル３２、３３、及び、上コイル３１１が、順に収容されている。磁性体ブロック３０１、３０２は、留め具３７及び留めネジ３８で固定される。
【００３９】
このような構成を有する内装部材３は、インピーダンスボンドの電気的特性が所望の電気特性となるように、磁性体ブロック３０１と磁性体ブロック３０２とのギャップ間隔を調整する必要があるから、コイル等が破損した場合、修理には多大な手間と時間を要することとなる。
【００４０】
図２及び図６において、１次コイル３１は、一端側の端末と他端側の端末との間にセンタータップが設けられている。１次コイル３１の一端側の端末は、端子６７に引出され、センタータップは、端子６６、６９に引出され、他端側の端末は、端子６８及びコイル接続端子６１に引出されている。２次コイル３２は、一端側及び他端側の端末がそれぞれコイル接続端子６２、６２に引出されている。３次コイル３３は、一端側及び他端側の端末がそれぞれコイル接続端子６３、６３に引出されている。
【００４１】
再び図１において、内装部材３は、筐体４と略一定の距離（例えば１０ｍｍ）を保ちつつ、筐体４内に収納されている。内装部材３と筐体４との隙間８には、充填材（図示せず）が注形充填される。充填材は、内装部材３で発生した熱を効果的に筐体４へと伝達し放熱し得る材料、例えば、樹脂、シリコン等を用いることができる。
【００４２】
図４、図５において、コイル接続端子６１〜６３は、筐体４の外面に、金属部分（筐体）４から絶縁して取り付けられている。図示の実施例においては、コイル接続端子６１〜６３は、一端が筐体４の外部に導出され、筐体４の外面側に露出した端末引出し部５１上に取り付けられており、他端が筐体４の内部に導入されている。
【００４３】
コイル接続端子６１〜６３の一端には、配線接続端子が形成されている。配線接続端子は、配線を電気的に接続する機能を有する端子であり、レールや制御機器等の外部機器に接続された配線８１が、ナット８２で固定される。
【００４４】
更に、コイル接続端子６１〜６３には、分枝導体７０の一端７１が接続される。分枝導体７０の他端７２は、筐体４の外面に沿って延びており、筐体４の外面（金属部分）と間隔Δｘを隔てて対向している。
【００４５】
分枝導体７０の他端７２と金属部分４との間の距離Δｘは、分枝導体７０と金属部分４との間のサージ耐量が、コイル接続端子６１〜６３と金属部分４との間のサージ耐量よりも低くなるように設定することが好ましい。
【００４６】
本発明においては、１次コイル３１〜３次コイル３３のいずれか１つのコイルが、分枝導体７０に接続されたコイル接続端子に接続されていてもよい。また、分枝導体７０に接続されたコイル接続端子に接続されるコイル端末は、一端側であっても、他端側であっても、センタータップ等であってもよい。
【００４７】
上述したように、本発明の第１の態様に係るインピーダンスボンドは、コイル３１、３２、３３を含む。このため、コイル３１、３２、３３を用いて、例えば、レールに流れる電気車電流と信号電流を振り分ける機能を実現することができる。
【００４８】
本発明に係るインピーダンスボンドは、筐体４とコイル３１、３２、３３とを含む。筐体４は、接地電位ＧＮＤとなる金属部分４を含んでいる。コイル３１、３２、３３は、筐体４内に収納されている。このため、コイル３１、３２、３３で発生した熱は、筐体４の金属部分４から効率よく放出される。また、コイル３１、３２、３３が筐体４内に収納されているから、コイル３１、３２、３３の防水性を確保することができる。
【００４９】
また、図示実施例において、筐体４は全体が金属でなるから、防水性及び電磁シールド性が高いインピーダンスボンドとなる。
【００５０】
本発明に係るインピーダンスボンドは、コイル接続端子６１〜６３を含む。コイル接続端子６１〜６３は、筐体４の外面に、金属部分４から絶縁して取り付けられている。コイル３１、３２、３３のそれぞれは、少なくとも一端側又は他端側の端末が、コイル接続端子６１〜６３に接続されているから、レールや制御機器等がコイル接続端子６１〜６３を介して、コイル３１、３２、３３に接続されることとなる。
【００５１】
また、本発明に係るインピーダンスボンドは、分枝導体７０を含む。分枝導体７０は、一端がコイル接続端子６１〜６３に接続され、他端が金属部分４と間隔を隔てて対向している。このため、インピーダンスボンドに与えられたサージ電圧、例えば、誘導雷サージ電圧を確実に放電することができる。
【００５２】
したがって、本発明に係るインピーダンスボンドは、サージ電圧が与えられた場合でも、筐体４の内部及びコイル接続端子６１〜６３が破損するおそれがない。例えば、分枝導体７０と筐体４の外面との間のサージ耐量は、分枝導体７０と筐体４の外面との距離や、分枝導体７０の形状等を適宜設定することにより、コイル接続端子６１〜６３と筐体４の外面との間のサージ耐量よりも低くなるように、空間距離Δｘを設定することができる。
【００５３】
また、分枝導体７０は、コイル接続端子６１〜６３から独立して備えられているので、サージ電圧で分枝導体７０が破損した場合には、分枝導体７０のみを交換すれば済む。このため、保守管理に要するコストを低く抑えることが可能となる。例えば、筐体４と内装部材３との隙間に充填材が充填され、分解修理ができない場合でも、インピーダンスボンド全体を廃棄することなく、分枝導体７０のみを交換すれば済むこととなる。
【００５４】
また、分枝導体７０と筐体４の外面との間を空間にした場合には、自己放電（空間放電）を実現することができ、分枝導体７０と筐体４の外面との間に絶縁部材９を設けた場合には、沿面放電等を実現することができる。
【００５５】
また、図示の実施例では、筐体４と内装部材３との隙間に充填材が充填されているから、変圧器油を必要としない構成を実現することができる。このため、重量が極めて重くなり、運搬、設置等の作業が困難になるという問題や、変圧器油を定期的に補充する等の保守が必要となるという問題や、変圧器油の発火を防ぐための構成を備えることによりコスト高になる等の問題を回避することができる。
【００５６】
図７は本発明の第１の態様に係るインピーダンスボンドの別の一実施例を示す右側面拡大図、図８は図７の部分拡大図、図９は図７に示したインピーダンスボンドの正面拡大図である。図において、図１〜図６に現れた構成部分と同一の部分については、同一の参照符号を付し、重複説明を省略する。
【００５７】
図７〜図１０において、図示のインピーダンスボンドは、筐体４と、内装部材（図示せず）と、コイル接続端子６１〜６３と、分枝導体７０と、絶縁部材９とを含む。
【００５８】
コイル接続端子６１〜６３は、一端が筐体４の外部に導出され、筐体４の外面側に露出した端末引出し部５１上に取り付けられており、他端が筐体４の内部に導入されている。コイル接続端子６１〜６３の一端には、配線接続端子が形成されている。
【００５９】
分枝導体７０は、一端７１がコイル接続端子６１〜６３の一端に接続される。分枝導体７０の他端７２は、筐体４の外面に沿って延びており、筐体４の外面（金属部分）と間隔Δｘを隔てて対向している。絶縁部材９は、分枝導体７０の他端７２と金属部分４との間に備えられ、分枝導体７０の他端７２を支持し、固定している。
【００６０】
具体的には、図８、図９において、絶縁部材９は、ネジ８４を用いて金属部分４に固定されており、分枝導体７０の他端７２は、ネジ８３で絶縁部材９に固定されている。ネジ８３として、導電性のネジを用いる際には、ネジ８３を金属部分４から絶縁させる必要があることは言うまでもない。
【００６１】
図７〜図１０に示した実施例においては、分枝導体７０は、一端７１がコイル接続端子に接続され、他端７２が絶縁部材９を介して筐体４の外面に接続されているから、絶縁部材９を介した分枝導体７０と筐体４の外面との距離や、分枝導体７０及び絶縁部材９の面積を適宜設定することにより、インピーダンスボンドに与えられたサージ電圧を確実に沿面放電することができる。
【００６２】
また、図７〜図１０に示した実施例においては、絶縁部材９の寸法を適宜設定することによりサージ耐量が設定できるから、空間放電によるサージ耐量を設定する場合よりも、サージ耐量の設定が容易である。確実に沿面放電させるためには、沿面放電によるサージ耐量が、空間放電によるサージ耐量よりも低くなるように、設定することが好ましい。
【００６３】
具体的には、分枝導体７０と筐体４の外面との間のサージ耐量が、コイル接続端子６１〜６３と筐体４の外面との間のサージ耐量よりも低くなるように、沿面距離（Δｘ＋Δｙ）を設定することができる。
【００６４】
また、分枝導体７０は、絶縁部材９を介して筐体４の外面に固定されているから、その位置が変動しない。このため、絶縁部材９を介した分枝導体７０と筐体４の外面との間のサージ耐量を設定した後において、サージ耐量値が変動することがなく、所定のサージ耐量値で確実に放電を行うことが可能となる。
【００６５】
また、分枝導体７０及び絶縁部材９は、コイル接続端子６１〜６３から独立して備えられているので、サージ電圧で分枝導体７０及び絶縁部材９が破損した場合には、分枝導体７０及び絶縁部材９を交換すれば済む。このため、保守管理に要するコストを低く抑えることが可能となる。
【００６６】
更に、図７〜図１０に示した実施例においては、ネジ８４として導電性のネジを用い、ネジ８４と金属部分４とを導通させ、分枝導体７０の他端７２からネジ８４に放電する構成にしてもよい。この場合、ネジ８４のネジ締め量により、分枝導体７０の他端７２と、ネジ８４との距離を調整することが可能であり、他端７２−ネジ８４間のサージ耐量値を所望の値に設定することができる。
【００６７】
また、本発明に係るインピーダンスボンドは、絶縁部材９として薄い絶縁テープを用い、絶縁テープの絶縁距離により、分枝導体７０と筐体４の外面との間のサージ耐量を設定してもよい。
【００６８】
また、図示のインピーダンスボンドは、図１〜図６に示したインピーダンスボンドと同様の構成を有するので、同様の作用効果を奏することができる。
【００６９】
２．第２の態様に係るインピーダンスボンド
図１０は本発明の第２の態様に係るインピーダンスボンドの一実施例を示す右側面拡大図、図１１は図１０の部分拡大図、図１２は図１０に示したインピーダンスボンドの正面拡大図である。図において、図１〜図９に現れた構成部分と同一の部分については、同一の参照符号を付し、重複説明を省略する。
【００７０】
図１０〜図１２において、図示のインピーダンスボンドは、筐体４と、内装部材（図示せず）と、コイル接続端子６１〜６３と、分枝導体７０と、絶縁部材９とを含む。
【００７１】
コイル接続端子６１〜６３は、一端が筐体４の外部に導出され、筐体４の外面側に露出した端末引出し部５１上に取り付けられており、他端が筐体４の内部に導入されている。
【００７２】
分枝導体７０は、一端７１がコイル接続端子６１〜６３の一端に接続される。分枝導体７０の他端７２は、筐体４の外面に沿って延びており、筐体４の外面（金属部分）と間隔Δｘを隔てて対向している。絶縁部材９は、分枝導体７０の他端７２と金属部分４との間に備えられ、分枝導体７０の他端７２を支持し、固定している。分枝導体７０の他端７２には、配線接続端子が形成されている。
【００７３】
具体的には、図１１、図１２において、分枝導体７０の一端７１は、ネジ８５でコイル接続端子６１〜６３の一端に接続される。分枝導体７０の他端７２は、絶縁部材９を介して金属部分４に固定されており、ナット８２を用いて配線８１に固定されている。
【００７４】
上述したように、本発明の第２の態様に係るインピーダンスボンドは、第１の態様に係るインピーダンスボンドと同様に、筐体４と、コイル３１、３２、３３とを有するので、同様の作用効果を奏することができる。
【００７５】
また、本発明の第２の態様に係るインピーダンスボンドは、コイル接続端子６１〜６３を有する。コイル接続端子６１〜６３は、一端が筐体４の外部に導出され、筐体４の外面に取り付けられ、他端が筐体４の内部に導入されている。コイル接続端子６１〜６３の他端には、コイル３１、３２、３３の端末が接続されている。分枝導体７０は、一端７１がコイル接続端子６１〜６３の一端に接続され、他端７２が筐体４の外面に固定されている。
【００７６】
このため、分枝導体７０は、コイル接続端子６１〜６３と導通し、かつ、他端７２が筐体４に機械的に固定された構成となるから、分枝導体７０の他端７２に、レールや制御機器等とコイル接続端子６１〜６３とを接続するための外部配線接続端子を形成することができる。
【００７７】
これにより、コイル接続端子６１〜６３に、直接、外部配線接続端子を形成する必要がなくなる。このため、例えば、インピーダンスボンドの設置時や、点検時において、外部配線接続端子に配線８１を取付け／取外す際に、コイル接続端子６１〜６３を破損させるおそれが生じない。
【００７８】
したがって、本発明に係るインピーダンスボンドは、コイル３１、３２、３３の一端側又は他端側の端末に接続されたコイル接続端子６１〜６３が破損し、インピーダンスボンドを廃棄しなければならない事態を回避することができる。
【００７９】
また、分枝導体７０は、筐体４及びコイル接続端子６１〜６３から独立して備えられているので、分枝導体７０の他端７２が破損した場合には、分枝導体７０のみを交換すれば済む。このため、保守管理に要するコストを低く抑えることが可能となる。
【００８０】
また、図示のインピーダンスボンドは、図１〜図９に示したインピーダンスボンドと同様の構成を有するので、同様の作用効果を奏することができる。
【００８１】
以上、実施の形態を参照して説明したが、本発明はこの実施例に限定されるものではなく、特許請求の範囲内において、種々の変形、変更が可能であることは言うまでもない。
【図面の簡単な説明】
【００８２】
【図１】本発明の第１の態様に係るインピーダンスボンドの一実施例を示す正面分解図である。
【図２】図１に示したインピーダンスボンドの平面分解図である。
【図３】図１に示したインピーダンスボンドの右側面分解図である。
【図４】図１の部分拡大図である。
【図５】図３の部分拡大図である。
【図６】図１〜図５に示したインピーダンスボンドの結線を説明する概略図である。
【図７】本発明の第１の態様に係るインピーダンスボンドの別の一実施例を示す右側面拡大図である。
【図８】図７の部分拡大図である。
【図９】図７に示したインピーダンスボンドの正面拡大図である。
【図１０】本発明の第２の態様に係るインピーダンスボンドの一実施例を示す右側面拡大図である。
【図１１】図１０の部分拡大図である。
【図１２】図１０に示したインピーダンスボンドの正面拡大図である。
【符号の説明】
【００８３】
４              筐体
６１〜６３      コイル接続端子
３１〜３３      コイル
７０            分枝導体
【図１】
2005206022.tif 000003
【図２】
2005206022.tif 000004
【図３】
2005206022.tif 000005
【図４】
2005206022.tif 000006
【図５】
2005206022.tif 000007
【図６】
2005206022.tif 000008
【図７】
2005206022.tif 000009
【図８】
2005206022.tif 000010
【図９】
2005206022.tif 000011
【図１０】
2005206022.tif 000012
【図１１】
2005206022.tif 000013
【図１２】
2005206022.tif 000014